(57)【要約】【課題】放熱効果が高く高精細化に伴う過熱に対処可能なプロジェクターを得る。【解決手段】光源から照射された光を変調する領域である開口領域９８と開口領域９８を囲む周辺領域９７とを有する電気光学パネ２４ルと、電気光学パネル２４の周辺領域９７の少なくとも一部を覆うフレーム２５と、フレームの光源側に、平面視でフレーム２５の少なくとも一部と重なりかつフレーム２５と所定の間隔を有するように取り付けられた遮光板２６と、を備えることを特徴とする電気光学装置３１。【選択図】図１
2011064999.tif 000002
【特許請求の範囲】
【請求項１】
光源から照射された光を変調する領域である開口領域と該開口領域を囲む周辺領域とを有する電気光学パネルと、
前記電気光学パネルの前記周辺領域の少なくとも一部を覆うフレームと、
前記フレームの前記光源側に、平面視で該フレームの少なくとも一部と重なりかつ該フレームと所定の間隔を有するように取り付けられた前記光を反射する遮光板と、
を備えることを特徴とする電気光学装置。
【請求項２】
請求項１に記載の電気光学装置であって、
前記遮光板は、少なくとも表面が前記光に対して高い反射性を有する材料で形成されていることを特徴とする電気光学装置。
【請求項３】
請求項１または２に記載の電気光学装置であって、
前記遮光板は、前記光に対して熱伝導性が高い材料で形成されていることを特徴とする電気光学装置。
【請求項４】
請求項１〜３のいずれか１項に記載の電気光学装置であって、
前記遮光板は、該遮光板自体の弾性により前記フレームに取り付けられていることを特徴とする電気光学装置。
【請求項５】
請求項１〜３のいずれか１項に記載の電気光学装置であって、
前記遮光板は、前記フレームの前記光源側に配置された断熱材を介して前記フレームに取り付けられていることを特徴とする電気光学装置。
【請求項６】
請求項１から５のいずれか１項に記載の電気光学装置を備えることを特徴とする電子機器。
【発明の詳細な説明】
【技術分野】
【０００１】
本発明は、電気光学装置、及び電子機器に関するものである。
【背景技術】
【０００２】
電気光学装置としての液晶装置の用途の一つとして、プロジェクター（投影機）のライトバルブが挙げられる。ライトバルブは、光源から照射される光を画像情報に従って変調する機能を果たしている。かかる用途に用いられる液晶装置における課題の一つとして、上記照射光による加熱がある。加熱により液晶装置自体の温度が上昇すると、該液晶装置が備える偏光板、あるいは液晶層等が劣化し、変調器の機能を果たすことができなくなる可能性がある。そこで、かかる課題を解決するために、液晶装置を熱伝導性及び放熱性が高い金属製のフレームに収納すると共に、該フレームの表面にフィンを形成する技術が提案されている（特許文献１及び２）。
【先行技術文献】
【特許文献】
【０００３】
【特許文献１】特開２００３−１５１０４号公報
【特許文献２】特開２００２−３６６０４６号公報
【発明の概要】
【発明が解決しようとする課題】
【０００４】
しかしながら、上述の構成では液晶装置と密着しているフレーム自体が上記照射光で加熱されることとなる。したがって、プロジェクターの高精細化等に伴い放熱効率（放熱効果）が不足するという課題があった。
【課題を解決するための手段】
【０００５】
本発明は、上述の課題の少なくとも一部を解決するものであり、以下の形態または適用例として実現することが可能である。
【０００６】
［適用例１］光源から照射された光を変調する領域である開口領域と該開口領域を囲む周辺領域とを有する電気光学パネルと、上記電気光学パネルの上記周辺領域の少なくとも一部を覆うフレームと、上記フレームの上記光源側に、平面視で該フレームの少なくとも一部と重なりかつ該フレームと所定の間隔を有するように取り付けられた上記光を反射する遮光板と、を備えることを特徴とする電気光学装置。
【０００７】
このような構成であれば、電気光学装置が上述の照射光により加熱されることを低減でき、該電気光学装置の劣化を抑制できる。
【０００８】
［適用例２］上述の電気光学装置であって、上記遮光板は、少なくとも表面が上記光に対して高い反射性を有する材料で形成されていることを特徴とする電気光学装置。
【０００９】
このような構成であれば、上記遮光板が上述の照射光により加熱されることを低減でき、該電気光学装置の劣化をより一層抑制できる。
【００１０】
［適用例３］上述の電気光学装置であって、上記遮光板は、上記光に対して熱伝導性が高い材料で形成されていることを特徴とする電気光学装置。
【００１１】
このような構成であれば、上記遮光板から熱を効果的に放散できるため、該遮光板が上述の照射光により加熱されることを低減できる。したがって、電気光学装置が上述の照射光により加熱されることを低減でき、該電気光学装置の劣化をより一層抑制できる。
【００１２】
［適用例４］上述の電気光学装置であって、上記遮光板は、該遮光板自体の弾性により上記フレームに取り付けられていることを特徴とする電気光学装置。
【００１３】
このような構成であれば、電気光学装置の部品数を低減でき、製造コスト等の増加を抑制できる。
【００１４】
［適用例５］上述の電気光学装置であって、上記遮光板は、上記フレームの上記光源側に配置された断熱材を介して上記フレームに取り付けられていることを特徴とする電気光学装置。
【００１５】
このような構成であれば、上記フレームと上記遮光板との間に確実に間隔を空けられる。したがって、電気光学装置が上述の照射光により加熱されることを低減でき、該電気光学装置の劣化をより一層抑制できる。
【００１６】
［適用例６］上述の電気光学装置を備えることを特徴とする電子機器。
【００１７】
このような構成であれば、電子機器の経年劣化を抑制できる。
【図面の簡単な説明】
【００１８】
【図１】第１の実施形態にかかる液晶装置を示す図。
【図２】液晶パネルの等価回路図。
【図３】液晶パネルを構成する素子基板の平面図。
【図４】液晶パネルの模式断面図。
【図５】液晶パネルを構成する画素の模式断面図。
【図６】第２の実施形態にかかる液晶装置を示す図。
【図７】第３の実施形態にかかる液晶装置を示す図。
【図８】第４の実施形態にかかる液晶装置を示す図。
【図９】第５の実施形態にかかる液晶装置を示す図。
【図１０】第６の実施形態にかかる液晶装置を示す図。
【図１１】第７の実施形態にかかる液晶装置を示す図。
【図１２】第８の実施形態にかかる液晶装置を示す図。
【図１３】第９の実施形態にかかる電子機器としてのプロジェクターを示す図。
【発明を実施するための形態】
【００１９】
以下、本発明にかかる電気光学装置としての液晶装置、及び電子機器としてプロジェクターの形態について図面を参照しつつ述べる。なお、以下の各図においては、各層や各部位を図面上で認識可能な程度の大きさとするため、各層や各部位の縮尺を実際とは異ならしめてある。
【００２０】
（第１の実施形態）
図１は、本発明の第１の実施形態にかかる電気光学装置としての液晶装置３１を示す図である。図２は、液晶装置３１及び後述する第２から第８の実施形態にかかる液晶装置（３２〜３８）の構成要素である電気光学パネルとしての液晶パネル２４の等価回路図である。図３は、液晶パネル２４を構成する素子基板１０を該基板上に形成された各構成要素と共に対向基板２０側から見た平面図である。図４は、素子基板１０と対向基板２０とを貼り合わせて液晶を封入する組立工程終了後の液晶パネル２４を図３のＡ−Ａ’線で切断して示す模式断面図である。図５は、液晶パネルを構成する画素を拡大して示す模式断面図である。
【００２１】
以下、液晶装置３１について説明する前に、図２〜５を用いて液晶パネル２４について説明する。液晶パネル２４は図３及び図４に示すように、素子基板１０と対向基板２０との間に液晶層５０を封入して構成されている。素子基板１０上には画素を構成する画素電極等がマトリクス状に配置されている。なお、液晶パネル２４は透過型であり、素子基板１０及び対向基板２０はガラス、石英等の透明材料からなる。
【００２２】
図２に示すように、画素領域１００においては、複数本の走査線３ａと複数本のデータ線６ａとが交差するように形成されており、走査線３ａとデータ線６ａとで区画された領域には画素電極９ａがマトリクス状に配置されている。そして、走査線３ａとデータ線６ａの各交差部分に対応してＴＦＴ（薄膜トランジスター）３０が形成されており、該ＴＦＴに画素電極９ａが接続されている。
【００２３】
ＴＦＴ３０は走査線３ａのＯＮ信号によってオンとなり、これにより、データ線６ａに供給された画像信号が画素電極９ａに供給される。この画素電極９ａと対向基板２０に設けられた対向電極２１との間の電圧が液晶層５０に印加される。また、画素電極９ａと並列に蓄積容量７０が形成されている。蓄積容量７０によって、画素電極９ａの電圧はソース電圧が印加された時間よりも長い時間保持される。そのため、電圧保持特性が改善され、コントラスト比の高い画像表示が可能となる。
【００２４】
図５に示すように、素子基板１０上には、ＬＤＤ構造をなすＴＦＴ３０が形成されている。ＴＦＴ３０は、チャネル領域１ａ、ソース領域１ｄ、ドレイン領域１ｅが形成された半導体層に絶縁膜２を介してゲート電極として機能する走査線３ａ等からなる。ＴＦＴ３０上には第１層間絶縁膜４を介してデータ線６ａが積層され、データ線６ａは第１のコンタクトホール５を介してソース領域１ｄに電気的に接続されている。データ線６ａ上には第２層間絶縁膜７を介して画素電極９ａが積層され、画素電極９ａは第２のコンタクトホール８を介してドレイン領域１ｅに電気的に接続されている。
【００２５】
走査線３ａにＯＮ信号が供給されることで、チャネル領域１ａが導通状態となり、ソース領域１ｄとドレイン領域１ｅとが接続されて、データ線６ａに供給された画像信号が画素電極９ａに与えられる。半導体層にはドレイン領域１ｅから延びる蓄積容量電極１ｆが形成されている。蓄積容量電極１ｆは、誘電体膜である絶縁膜２を介して容量線３ｂが対向配置され、これにより蓄積容量７０を構成している。画素電極９ａ上にはポリイミド系の高分子樹脂からなる第１の配向膜１６が積層され、所定方向にラビング処理されている。
【００２６】
対向基板２０には、素子基板１０のデータ線６ａ、走査線３ａ及びＴＦＴ３０の形成領域に対向する領域、即ち各画素の非表示領域において第１の遮光膜２３が形成されている。該第１の遮光膜により、対向基板２０側からの入射光がＴＦＴ３０のチャネル領域１ａ、ソース領域１ｄ及びドレイン領域１ｅに入射することが抑制される。第１の遮光膜２３上に、対向電極（共通電極）２１が対向基板２０の全面に形成されている。対向電極２１上にポリイミド系の高分子樹脂からなる第２の配向膜２２が積層され、所定方向にラビング処理されている。
【００２７】
素子基板１０と対向基板２０との間には、液晶層５０が封入されている。これにより、ＴＦＴ３０は所定のタイミングでデータ線６ａから供給される画像信号を画素電極９ａに書き込む。書き込まれた画素電極９ａと対向電極２１との電位差に応じて液晶層５０の分子集合の配向や秩序が変化して、上述の入射光を変調して、階調表示を可能にする。
【００２８】
図３、及び図http://www6.ipdl.inpit.go.jp/Tokujitu/tjitemdrw.ipdl?N0000=234&N0500=1E_N/;%3e:?%3e:%3e?;///&N0001=15&N0552=9&N0553=000006４に示すように、対向基板２０には表示領域を区画する額縁としての第２の遮光膜４２が形成されている。第２の遮光膜４２は例えば第１の遮光膜２３と同一又は異なる遮光性材料によって形成されている。そして、第２の遮光膜４２内の領域が後述するプロジェクター１１００が備える光源（後述するランプユニット１１０２）から照射される光を透過する領域である開口領域９８である。そして、平面視において開口領域９８を囲む領域（すなわち開口領域９８以外の領域）が周辺領域９７（図１参照）である。
【００２９】
第２の遮光膜４２の外側の領域に液晶を封入するシール材４１が、素子基板１０と対向基板２０間に形成されている。シール材４１は対向基板２０の輪郭形状に略一致するように配置され、素子基板１０と対向基板２０とを所定の間隔を持って貼り合せている。シール材４１は、素子基板１０の１辺の一部において欠落しており、貼り合わされた素子基板１０及び対向基板２０相互の間隙には、液晶層５０を注入するための液晶注入口７８が形成されている。液晶注入口７８より液晶が注入された後、液晶注入口７８を封止材７９で封止される。
【００３０】
素子基板１０のシール材４１の外側の領域には、データ線駆動回路６１及び実装端子６２が素子基板１０の一辺に沿って設けられており、この一辺に隣接する２辺に沿って、走査線駆動回路６３が形成されている。素子基板１０の残る一辺には、画面表示領域の両側に設けられた走査線駆動回路６３間を接続するための複数の配線６４が形成されている。また、対向基板２０のコーナー部の少なくとも１箇所においては、素子基板１０と対向基板２０との間を電気的に導通させるための導通材６５が形成されている。
【００３１】
図４に示すように、実装端子６２には、将来的に液晶パネル２４と外部とを導通するための、一点鎖線で示すＦＰＣ９９が接続される。ＦＰＣ９９は、ポリイミドフィルム等のベース材料上に例えば圧延銅箔による銅箔パターン（図示せず）を形成し、更に、該銅箔パターン上にカバー材料を形成して構成されている。そして、液晶パネル２４にはさらに（将来的に）、一点鎖線で示す第１の防塵ガラス５１が素子基板１０の裏面側に貼付され、同じく一点鎖線で示す第２の防塵ガラス５２が対向基板２０の裏面側に貼付される。なお、上述したように、対向基板２０側に、図示しない光源（後述するランプユニット１１０２）から照射される光が入射する。
【００３２】
液晶パネル２４に、かかるＦＰＣ９９、第１の防塵ガラス５１、及び第２の防塵ガラス５２が加えられ、さらに後述するフレーム２５（図１参照）等が加えられて、液晶装置３１（及び後述する液晶装置３２〜３８）が形成される。以下、第１の実施形態にかかる液晶装置３１について述べる。
【００３３】
図１は、第１の実施形態にかかる電気光学装置としての液晶装置３１を示す図である。図１（ａ）は液晶装置３１の平面図、図１（ｂ）は液晶装置３１のＢ−Ｂ’線における断面図、図１（ｃ）は液晶装置３１のＣ−Ｃ’線における断面図である。なお、本図においては、素子基板１０と対向基板２０とシール材４１とで形成される空間には液晶層５０のみを示しており、ＴＦＴ３０等及びシール材４１は図示を省略している。また、ＦＰＣ９９も、図１（ａ）と図１（ｂ）とにおいては図示を省略している。かかる図示の省略は、第２〜第８の実施形態について説明に用いる図６〜１２においても同様である。
【００３４】
図示するように、液晶装置３１は液晶パネル２４と該液晶パネルを挟持するように配置された一対の防塵ガラス（第１の防塵ガラス５１及び第２の防塵ガラス５２）と、該液晶パネルと該一対の防塵ガラスの積層体を包みこむように配置されたフレーム２５と、断熱材２８と、遮光板２６と、からなる。
【００３５】
フレーム２５は、マグネシウム合金又はアルミニウム合金からなる筐体であり、液晶パネル２４の開口領域９８に合せた開口部を有している。したがって、平面視においてフレーム２５は液晶パネル２４の開口領域９８以外の領域すなわち周辺領域９７の少なくとも一部を覆っている。そして、ＦＰＣ９９が配置されている側の反対側は楔型に整形されている。
【００３６】
かかる整形の理由は、冷却風の通風性を向上させるためである。本実施形態の液晶装置３１及び後述する各実施形態の液晶装置（３２〜３８）はプロジェクター内に配置された場合、Ｃ−Ｃ’線に沿ってＦＰＣ９９が配置されている側の反対側から冷却風が送風される。したがって、かかる整形を施すことで通風性を向上でき、フレーム２５をより一層効果的に冷却できる。
【００３７】
フレーム２５の上面、すなわち光源からの光が入射する側には、断熱材２８と遮光板２６とが配置されている。遮光板２６は熱伝導性が高い材質で形成され、さらに、表面（光が入射する側）には反射性を高める加工が施されている。具体的にはＳＵＳ３０４で形成され、表面にアルミニウム層が蒸着等の手段で形成されている。アルミニウム蒸着シートを貼付してもよい。また、裏面（光が入射する側の反対の側）にはカーボン層を形成してもよい。カーボン層は熱伝導性が高いため、遮光板２６が照射により加熱された場合に、該熱を効果的に放散できる。
【００３８】
さらには、遮光板２６をカーボン材料で形成して、表面にアルミニウム層を形成してもよい。遮光板２６の熱伝導性がより一層向上して、より効果的に熱を放散できる。カーボン材料は、反射性は乏しいが、表面のアルミニウム層で反射性は維持できる。また、図１において遮光板２６は平板状に図示しているが、畝状の凹凸を形成してもよい。その場合、該畝はＣ−Ｃ’線に平行に形成する。かかる凹凸により、上述の冷却風の通風性をより一層向上できる。
【００３９】
断熱材２８は、平面視で開口領域９８を所定の間隔を持って囲む枠状の部材である。厚さ、すなわち基板（素子基板１０等）面に垂直方向の寸法は略２ｍｍであり、アクリル樹脂等の断熱性の高い材料で形成されている。したがって、遮光板２６が加熱された場合においても、かかる熱がフレーム２５に伝達されることを抑制できる。
【００４０】
（本実施形態の効果）
上述のように、本実施形態の液晶装置３１は、液晶パネル２４を高熱伝導性材料からなるフレーム２５で囲み、さらに光源から光が照射される側に該フレームから所定の間隔を有するように遮光板２６を配置している。そして、遮光板２６は高熱伝導性材料からなり、かつ、表面が高い反射性を有するように形成されている。そしてさらに、フレーム２５及び遮光板２６は冷却風の通りを妨げないように整形されている。
【００４１】
したがって、例えばプロジェクターのライトバルブとして使用する際に、光源から照射される光の内、開口領域９８を透過せずに周辺領域９７に向かう光を遮光板２６で遮ることができ、フレーム２５が過熱されることを抑制できる。そして、遮光板２６は上述の照射光により生じた熱を効率的に放散できる。さらに、遮光板２６とフレーム２５との間には断熱材２８により所定の間隔が形成されているため、遮光板２６が過熱された場合においても該熱がフレーム２５を介して液晶パネル２４に伝達することが抑制されている。したがって、高精細化等に伴う放熱効率の低下を補うことができ、長時間の使用においても変調器の機能を果たすことができる。
【００４２】
（第２の実施形態）
次に、本発明の第２の実施形態について述べる。図６は本発明の第２の実施形態に係る電気光学装置としての液晶装置３２を示す図である。図６（ａ）は液晶装置３２の平面図、図６（ｂ）は液晶装置３２のＢ−Ｂ’線における断面図、図６（ｃ）は液晶装置３２のＣ−Ｃ’線における断面図である。本実施形態にかかる液晶装置３２は、第１の実施形態の液晶装置３１と類似した構成を有しており、断熱材２８の形状が異なるのみである。そこで、液晶装置３１の構成要素と共通する構成要素には同一の符号を付与し、説明の記載は一部省略する。
【００４３】
本実施形態にかかる液晶装置３２は、断熱材２８がＣ−Ｃ’線に平行な方向にのみ形成されていることが特徴である。上述したように、液晶装置３２等がライトバルブとして使用される際には、Ｃ−Ｃ’線に沿って冷却風が送風される。そして、該冷却風は断熱材２８に妨げられることなく遮光板２６の下面（液晶パネル２４側の面）を通過するため、光源から照射される光で加熱された遮光板２６をより効果的に冷却できる。したがって、かかる構成の液晶装置３２であれば、遮光板２６の熱がフレーム２５を介して液晶パネル２４に伝達することをより効果的に抑制でき、ライトバルブとしてより一層確実に長時間の使用を継続できる。
【００４４】
（第３の実施形態）
次に、本発明の第３の実施形態について述べる。図７は本発明の第３の実施形態に係る電気光学装置としての液晶装置３３を示す図である。図７（ａ）は液晶装置３３の平面図、図７（ｂ）は液晶装置３３のＢ−Ｂ’線における断面図、図７（ｃ）は液晶装置３３のＣ−Ｃ’線における断面図である。本実施形態にかかる液晶装置３３は、第１の実施形態の液晶装置３１と類似した構成を有しており、断熱材２８の形状が異なるのみである。そこで、液晶装置３１の構成要素と共通する構成要素には同一の符号を付与し、説明の記載は一部省略する。
【００４５】
本実施形態にかかる液晶装置３３は、断熱材２８が、Ｃ−Ｃ’線に平行な方向に延在する部分と、フレーム２５が楔型に整形されている側においてＢ−Ｂ’線に平行に、所定の間隔をおいて並ぶ柱状の部分と、に分かれていることが特徴である。上述したように、Ｃ−Ｃ’線に平行な方向に延在する部分は冷却風の通過を妨げることは殆んどない。また、柱状の部分は冷却風に乱流を発生させることができる。かかる乱流は、両側を上述の延在する断熱材２８で挟まれている領域を、渦を形成しながら通過するため大きな冷却効果を生じさせる。したがって、かかる構成の液晶装置３３は遮光板２６及びフレーム２５をより効果的に冷却でき、ライトバルブとしてより一層確実に長時間の使用を継続できる。
【００４６】
（第４の実施形態）
次に、本発明の第４の実施形態について述べる。図８は本発明の第４の実施形態に係る電気光学装置としての液晶装置３４を示す図である。図８（ａ）は液晶装置３４の平面図、図８（ｂ）は液晶装置３４のＢ−Ｂ’線における断面図、図８（ｃ）は液晶装置３４のＣ−Ｃ’線における断面図である。本実施形態にかかる液晶装置３４は、第１の実施形態の液晶装置３１と類似した構成を有しており、断熱材２８の形状が異なるのみである。そこで、液晶装置３１の構成要素と共通する構成要素には同一の符号を付与し、説明の記載は一部省略する。
【００４７】
本実施形態にかかる液晶装置３４は、柱状の断熱材２８が平面視で四隅にのみ形成されていることが特徴である。上述したように断熱材は熱伝導率が低い材料からなるが、それでも遮光板２６が加熱された場合、若干の熱をフレーム２５に伝達する。本実施形態の液晶装置３４は遮光板２６とフレーム２５とが断熱材２８で連結されている部分が極めて少ないため、上述するような熱の伝導が低減されている。したがって、かかる構成の液晶装置３４はフレーム２５を介して液晶パネル２４が加熱されることを効果的に抑制でき、ライトバルブとしてより一層確実に長時間の使用を継続できる。
【００４８】
（第５の実施形態）
次に、本発明の第５の実施形態について述べる。図９は本発明の第５の実施形態に係る電気光学装置としての液晶装置３５を示す図である。図９（ａ）は液晶装置３５の平面図、図９（ｂ）は液晶装置３５のＢ−Ｂ’線における断面図、図９（ｃ）は液晶装置３５のＣ−Ｃ’線における断面図である。本実施形態にかかる液晶装置３５は、第１の実施形態の液晶装置３１と類似した構成を有しており、断熱材２８と遮光板２６との形状が異なるのみである。そこで、液晶装置３１の構成要素と共通する構成要素には同一の符号を付与し、説明の記載は一部省略する。
【００４９】
本実施形態にかかる液晶装置３５は、遮光板２６が、フレーム２５が楔型に整形されている側、すなわち冷却風が送られてくる側に延長されていることが特徴である。そして、断熱材２８は、第２の実施形態の液晶装置３２と同様に、Ｃ−Ｃ’線に平行な方向にのみ形成されている。
【００５０】
遮光板２６は液晶パネル２４の周辺領域９７に光源から照射される光を遮るためのものであるが、上述するように冷却風を取り込んでフレーム２５の上面に流す機能も有している。液晶装置３５はかかる遮光板２８が送風側に延長されているため、冷却風をより多く取り込んで、Ｃ−Ｃ’線に平行に延在する２本の断熱材２８の間に流動させることができる。したがって、本実施形態の液晶装置３５はフレーム２５等をより効率的に冷却でき、ライトバルブとしてより一層確実に長時間の使用を継続できる。
【００５１】
（第６の実施形態）
次に、本発明の第６の実施形態について述べる。図１０は本発明の第６の実施形態に係る電気光学装置としての液晶装置３６を示す図である。図１０（ａ）は液晶装置３６の平面図、図１０（ｂ）は液晶装置３６のＢ−Ｂ’線における断面図、図１０（ｃ）は液晶装置３６のＣ−Ｃ’線における断面図である。本実施形態にかかる液晶装置３６は、第５の実施形態の液晶装置３５と類似した構成を有しており、遮光板２６との形状が異なるのみである。そこで、液晶装置３５の構成要素と共通する構成要素には同一の符号を付与し、説明の記載は一部省略する。
【００５２】
本実施形態にかかる液晶装置３６は、遮光板２６が送風側に延長され、かつその延長された部分が上方に（上方に向けて）折れ曲がっていることが特徴である。そのため、図１０（ｃ）に示すように、楔型に整形されているフレーム２５と合わさって、送風側に向けて大きく口を開くような構成となっている。上述の冷却風は遮光板２６とフレーム２５との間に取り込まれるため、かかる構成であればより多くの冷却風を取り込んで、Ｃ−Ｃ’線に平行に延在する２本の断熱材２８の間に流動させることができる。したがって、本実施形態の液晶装置３６はフレーム２５等をより効率的に冷却でき、ライトバルブとしてより一層確実に長時間の使用を継続できる。
【００５３】
（第７の実施形態）
次に、本発明の第７の実施形態について述べる。図１１は本発明の第７の実施形態に係る電気光学装置としての液晶装置３７を示す図である。図１１（ａ）は液晶装置３７の平面図、図１１（ｂ）は液晶装置３７のＢ−Ｂ’線における断面図、図１１（ｃ）は液晶装置３７のＣ−Ｃ’線における断面図である。
【００５４】
本実施形態にかかる液晶装置３７は、断熱材２８を有しておらず、遮光板２６がフレーム２５に直接取り付けられていることが特徴である。図示するように、フレーム２５の側面にはＣ−Ｃ’線に沿って延在する溝部９４が形成されている。遮光板２６は上述の第１〜６の実施形態における遮光板２６とは異なり（平板状ではなく）「コ」の字型をしている。そして、Ｂ−Ｂ’線の断面における先端には凸部９５が形成されている。かかる凸部９５を上述の溝部９４に結合させ、かつ、「コ」の字を形成する折れ曲がり部分の弾性を働かせることで、フレーム２５に遮光板２６を固定している。
【００５５】
本実施形態にかかる液晶装置３７は、断熱材２８を用いないため、遮光板２６の熱がフレーム２５に若干伝わりやすくなっている。しかし、部品点数を減らすことにより、液晶装置の製造コストを低減している。
【００５６】
（第８の実施形態）
次に、本発明の第８の実施形態について述べる。図１２は本発明の第８の実施形態に係る電気光学装置としての液晶装置３８を示す図である。図１２（ａ）は液晶装置３８の平面図、図１２（ｂ）は液晶装置３８のＢ−Ｂ’線における断面図、図１２（ｃ）は液晶装置３８のＣ−Ｃ’線における断面図である。
【００５７】
本実施形態にかかる液晶装置３８は、上述の液晶装置３７と同様に断熱材２８を有しておらず、遮光板２６がフレーム２５に直接取り付けられていることが特徴である。図示するように、フレーム２５の側面にはＣ−Ｃ’線に沿って延在する段差部９６が形成されている。遮光板２６は上述の液晶装置３７の遮光板２６と同様にＢ−Ｂ’線の断面が「コ」の字型をしている。かかる「コ」の字型の部分が接着層２７を介して段差部９６と接着されることで、遮光板２６がフレーム２５に取り付けられている。
【００５８】
本実施形態にかかる液晶装置３８は、上述の液晶装置３７と同様に製造コストが低減されている。また、接着層２７を介することで、遮光板２６とフレーム２５とを直接的に組み合わせる態様に比べると熱の伝導が抑制されている。
【００５９】
（第９の実施形態）
次に、本発明の第９の実施形態として、上述の各実施形態の液晶装置（３１〜３８）の何れかを組み込んだ電子機器としてのプロジェクター（液晶プロジェクター）について述べる。
【００６０】
図１３は、本実施形態にかかるプロジェクターの構成を示す模式断面図である。本実施形態のプロジェクター１１００は、上述の液晶装置（３１〜３８）の何れかを３枚一組にしてライトバルブとして用いる複板式カラープロジェクターである。上述の液晶装置（３１〜３８）の何れかは、夫々ＲＧＢ用の液晶ライトバルブ３９Ｒ、３９Ｇ及び３９Ｂとしてプロジェクター１１００内に組み込まれている。
【００６１】
プロジェクター１１００では、メタルハライドランプ等の白色光源のランプユニット１１０２から投射光が発せられると、３枚のミラー１１０６及び２枚のダイクロイックミラー１１０８によって、ＲＧＢの３原色に対応する光成分Ｒ、Ｇ及びＢに分けられ、各色に対応する液晶ライトバルブ３９Ｒ、３９Ｇ及び３９Ｂに夫々導かれる。この際特にＢ光は、長い光路による光損失を防ぐために、入射レンズ１１２２、リレーレンズ１１２３及び出射レンズ１１２４からなるリレーレンズ系１１２１を介して導かれる。液晶ライトバルブ３９Ｒ、３９Ｇ及び３９Ｂにより夫々変調された３原色に対応する光成分は、ダイクロイックプリズム１１１２により再度合成された後、投射レンズ１１１４を介してスクリーンにカラー画像として投射される。
【００６２】
プロジェクター１１００の駆動時には、強力な光源であるランプユニット１１０２からの投射光により、液晶ライトバルブ３９Ｒ、３９Ｇ及び３９Ｂにおいて温度が上昇する。この際、過度に温度が上昇すると、液晶ライトバルブ３９Ｒ、３９Ｇ及び３９Ｂ内の液晶が劣化したり、光源光のむらによる部分的な液晶パネルの加熱によるホットスポットの出現により透過率にムラが生じたりする。特に、緑色光を変調する液晶ライトバルブ３９Ｇが備える液晶パネル２４において、透過率のムラが顕著に生じる。
【００６３】
本実施形態のプロジェクターでは、ライトバルブ３９として、上述の各実施形態に示す遮光板２６を備える液晶装置（３１〜３８）の何れかを用いているため、ランプユニット１１０２からの投射光により過度に温度が上昇することが抑制されている。したがって、長時間の連続的な使用においても透過率のムラ等が生じることがなく、安定した画像の形成が可能となっている。
【符号の説明】
【００６４】
１ａ…チャネル領域、１ｄ…ソース領域、１ｅ…ドレイン領域、１ｆ…蓄積容量電極、２…絶縁膜、３ａ…走査線、３ｂ…容量線、４…第１層間絶縁膜、５…第１のコンタクトホール、６ａ…データ線、７…第２層間絶縁膜、８…第２のコンタクトホール、９ａ…画素電極、１０…素子基板、１６…第１の配向膜、２０…対向基板、２１…対向電極、２２…第２の配向膜、２３…第１の遮光膜、２４…電気光学パネルとしての液晶パネル、２５…フレーム、２６…遮光板、２７…接着層、２８…断熱材、３０…ＴＦＴ（薄膜トランジスター）、３１…第１の実施形態の液晶装置、３２…第２の実施形態の液晶装置、３３…第３の実施形態の液晶装置、３４…第４の実施形態の液晶装置、３５…第５の実施形態の液晶装置、３６…第６の実施形態の液晶装置、３７…第７の実施形態の液晶装置、３８…第８の実施形態の液晶装置、３９…ライトバルブ、４１…シール材、４２…第２の遮光膜、５０…液晶層、５１…第１の防塵ガラス、５２…第２の防塵ガラス、６１…データ線駆動回路、６２…実装端子、６３…走査線駆動回路、６４…配線、６５…導通材、７０…蓄積容量、７８…液晶注入口、７９…封止材、９４…溝部、９５…凸部、９６…段差部、９７…周辺領域、９８開口領域、９９…ＦＰＣ、１００…画素領域、１１００…プロジェクター、１１０２…ランプユニット、１１０６…ミラー、１１０８…ダイクロイックミラー、１１１２…ダイクロイックプリズム、１１１４…投射レンズ、１１２１…リレーレンズ系、１１２２…入射レンズ、１１２３…リレーレンズ、１１２４…出射レンズ。
【図１】
2011064999.tif 000003
【図２】
2011064999.tif 000004
【図３】
2011064999.tif 000005
【図４】
2011064999.tif 000006
【図５】
2011064999.tif 000007
【図６】
2011064999.tif 000008
【図７】
2011064999.tif 000009
【図８】
2011064999.tif 000010
【図９】
2011064999.tif 000011
【図１０】
2011064999.tif 000012
【図１１】
2011064999.tif 000013
【図１２】
2011064999.tif 000014
【図１３】
2011064999.tif 000015